(57)【特許請求の範囲】
【請求項１】
複数のパネル体を前後方向に積層状に隣接配置して一体化するとともに、仲介部材を介して前記パネル体に付属する機能部材を取り付けるようにした遊技機において、
前記仲介部材は本体と、同本体から同じ方向に延出される対向配置された一対の揺動脚と、同両揺動脚にそれぞれ形成された互いに外方を向いた一対の第１の押さえ部と、互いに内方を向いた一対の第２の押さえ部と、同両押さえ部の間に配置された互いに内方を向いた一対の第３の押さえ部とを備え、
前記仲介部材の前記両揺動脚が前記パネル体に形成された透孔を通じて一方の面側から他方の面側に進出する際に前記透孔の周縁と前記第１の押さえ部に形成されたテーパ状の第１の案内面が当接して撓み、前記第１の押さえ部が前記透孔を通過することによって前記第１の案内面と前記周縁との当接関係が解除されると自身の弾性によって撓んだ状態から復帰し、同時に前記第１の押さえ部と前記本体とによって前記透孔の周縁を挟持して前記仲介部材は前記透孔位置に固定され、
前記機能部材が前記透孔の他方の面側から前記仲介部材の前記両揺動脚の先端方向に進出する際に前記機能部材が前記第２の押さえ部に形成されたテーパ状の第２の案内面に当接することで前記両揺動脚は撓み、前記機能部材が前記第２の押さえ部を通過することによって前記第２の案内面との当接関係が解除されると自身の弾性によって撓んだ状態から復帰し、同時に前記機能部材は前記第２の押さえ部と前記第３の押さえ部とによって挟持されて前記透孔に隣接する位置に配置されることを特徴とする遊技機。
【請求項２】
複数のパネル体を前後方向に積層状に隣接配置して一体化するとともに、仲介部材を介して前記パネル体に付属する機能部材を取り付けるようにした遊技機において、
前記仲介部材は本体と、同本体から同じ方向に延出される対向配置された一対の揺動脚と、同両揺動脚にそれぞれ形成された互いに外方を向いた一対の第１の押さえ部と、互いに内方を向いた一対の第２の押さえ部と、同両押さえ部の間に配置された互いに内方を向いた一対の第３の押さえ部とを備え、
前記仲介部材の前記両揺動脚が前記パネル体に形成された透孔を通じて一方の面側から他方の面側に進出する際に前記透孔の周縁と前記第１の押さえ部に形成されたテーパ状の第１の案内面が当接して撓み、前記第１の押さえ部が前記透孔を通過することによって前記第１の案内面と前記周縁との当接関係が解除されると自身の弾性によって撓んだ状態から復帰し、同時に前記第１の押さえ部と前記本体とによって前記透孔の周縁を挟持して前記仲介部材は前記透孔位置に固定され、
前記機能部材が前記第２の押さえ部と前記第３の押さえ部との間で構成される溝に沿ってスライドさせられ前記仲介部材に対する所定位置に装着されて前記透孔に隣接する位置に配置されることを特徴とする遊技機。
【請求項３】
前記機能部材は前記仲介部材の前記溝内で前記仲介部材側と接触して制動される制動部材によって制動されることを特徴とする請求項２に記載の遊技機。
【請求項４】
前記仲介部材の前記本体は前記透孔を塞ぐように前記透孔全面に面して配置されることを特徴とする請求項１〜３のいずれかに記載の遊技機。
【請求項５】
前記機能部材は前記仲介部材の前記本体と対面する位置で前記透孔を覆うように配置されることを特徴とする請求項４に記載の遊技機。
【発明の詳細な説明】
【０００１】
【発明の属する技術分野】
本発明は、パチンコ遊技機やスロットマシン等のように個別の機能を備えた複数のパネル体を組み立てて一体化し遊技者に所定の遊技を提供するようにした遊技機に関するものである。
【０００２】
【従来の技術】
遊技機として従来から親しまれているパチンコ遊技機やスロットマシン等は異なる複数のパネル体を組み合わせて製造するようになっている。例えばパチンコ遊技機に必要とされるパネル体としては具体的に扉枠、遊技盤、遊技機本体、機構盤等が挙げられる。要はこれら遊技機では各パネル体毎に機能を分担させこれらを組み合わせることで結果的に遊技機として機能し得るようにしているわけである。これらパネル体は一般に外枠をベースとして前後方向に重ね合わせながら組み立てられ一体化される。ここに各パネル体自体も複数の機能部品を組み合わせて構成されている。そして、機能部品の組み合わせによってパネル体として所定の機能を奏するように構成されている。
これら機能部品同士を組み合わせるためにいくつかの固定手段が採用されている。例えば、一方の機能部品を基準に考えた場合に他方の機能部品をビスを使ってこれに装着することが考えられる。また係合手段、例えば図５１に示すようにいずれか一方の機能部品１５５に爪１５６を形成させ、他方の機能部品１５７にこの爪１５８が係合する被係合部（ここでは透孔１５９）を形成させ、両者の係合関係で一方の機能部品に他方の機能部品を装着することが考えられる。
【０００３】
【発明が解決しようとする課題】
ところが、これらの固定手段ではいくつかの問題が生ずる。例えばビスでの固定では固定作業が面倒となり生産性が低下してしまう。また、近年では遊技機を回収して使用可能な部分についてリサイクル化が求められているところ、機能部品をリサイクルする場合にビスが邪魔になってしまうためビスを取り外さなければそのままでは回収できないためその取り外しの面倒さがリサイクル化の弊害となっている。
更に、上記のような爪１５６と透孔１５９等による係合手段では装着の際や点検のために取り外す際に爪１５６が折れてしまう可能性が指摘されていた。万一折れてしまった場合には爪１５６が形成されている機能部品１５７をそっくり交換しなければならず非常な無駄となっていた。
本発明は、このような従来の技術に存在する問題点に着目してなされたものである。その目的とするところは、機能部品同士の装着において着脱が容易でかつ着脱に際して機能部品に不具合が生じにくいパネル体を構成することが可能な遊技機を提供することにある。
【０００４】
【課題を解決するための手段】
上記の目的を達成するために、請求項１に記載の発明では、複数のパネル体を前後方向に積層状に隣接配置して一体化するとともに、仲介部材を介して前記パネル体に付属する機能部材を取り付けるようにした遊技機において、前記仲介部材は本体と、同本体から同じ方向に延出される対向配置された一対の揺動脚と、同両揺動脚にそれぞれ形成された互いに外方を向いた一対の第１の押さえ部と、互いに内方を向いた一対の第２の押さえ部と、同両押さえ部の間に配置された互いに内方を向いた一対の第３の押さえ部とを備え、前記仲介部材の前記両揺動脚が前記パネル体に形成された透孔を通じて一方の面側から他方の面側に進出する際に前記透孔の周縁と前記第１の押さえ部に形成されたテーパ状の第１の案内面が当接して撓み、前記第１の押さえ部が前記透孔を通過することによって前記第１の案内面と前記周縁との当接関係が解除されると自身の弾性によって撓んだ状態から復帰し、同時に前記第１の押さえ部と前記本体とによって前記透孔の周縁を挟持して前記仲介部材は前記透孔位置に固定され、前記機能部材が前記透孔の他方の面側から前記仲介部材の前記両揺動脚の先端方向に進出する際に前記機能部材が前記第２の押さえ部に形成されたテーパ状の第２の案内面に当接することで前記両揺動脚は撓み、前記機能部材が前記第２の押さえ部を通過することによって前記第２の案内面との当接関係が解除されると自身の弾性によって撓んだ状態から復帰し、同時に前記機能部材は前記第２の押さえ部と前記第３の押さえ部とによって挟持されて前記透孔に隣接する位置に配置されるようにしたことをその要旨とする。
また、請求項２に記載の発明では、複数のパネル体を前後方向に積層状に隣接配置して一体化するとともに、仲介部材を介して前記パネル体に付属する機能部材を取り付けるようにした遊技機において、前記仲介部材は本体と、同本体から同じ方向に延出される対向配置された一対の揺動脚と、同両揺動脚にそれぞれ形成された互いに外方を向いた一対の第１の押さえ部と、互いに内方を向いた一対の第２の押さえ部と、同両押さえ部の間に配置された互いに内方を向いた一対の第３の押さえ部とを備え、前記仲介部材の前記両揺動脚が前記パネル体に形成された透孔を通じて一方の面側から他方の面側に進出する際に前記透孔の周縁と前記第１の押さえ部に形成されたテーパ状の第１の案内面が当接して撓み、前記第１の押さえ部が前記透孔を通過することによって前記第１の案内面と前記周縁との当接関係が解除されると自身の弾性によって撓んだ状態から復帰し、同時に前記第１の押さえ部と前記本体とによって前記透孔の周縁を挟持して前記仲介部材は前記透孔位置に固定され、前記機能部材が前記第２の押さえ部と前記第３の押さえ部との間で構成される溝に沿ってスライドさせられ前記仲介部材に対する所定位置に装着されて前記透孔に隣接する位置に配置されるようにしたことをその要旨とする。
また、請求項３に記載の発明では請求項２に記載の発明の構成に加え、前記機能部材は前記仲介部材の前記溝内で前記仲介部材側と接触して制動される制動部材によって制動されるようにしたことをその要旨とする。
また、請求項４に記載の発明では請求項１〜３のいずれかに記載の発明の構成に加え、前記仲介部材の前記本体は前記透孔を塞ぐように前記透孔全面に面して配置されるようにしたことをその要旨とする。
また、請求項５に記載の発明では請求項４に記載の発明の構成に加え、前記機能部材は前記仲介部材の前記本体と対面する位置で前記透孔を覆うように配置されることをその要旨とする。
【０００５】
上記各請求項の発明のような構成では、透孔を設けるだけで所望の位置に仲介部材を配置することが可能となり、なおかつ簡単に仲介部材と機能部材とを透孔位置に装着することができる。
【０００６】
【発明の効果】
上記各請求項に記載の発明では、透孔を設けるだけで所望の位置に仲介部材を配置することが可能となり、なおかつ簡単に仲介部材と機能部材とを透孔位置に装着することができ、作業の効率化に貢献する。
【０００７】
【発明の実施の形態】
以下、本発明をパチンコ遊技機に応用した実施の形態について図面に基づいて説明する。まず、各実施の形態に共通する概略構成について説明し、次いで各実施の形態の固有の構成及び作用効果について説明する。尚、以下の説明においては前面、前方或いは表面側とは遊技者が正対する側をいい、後面、後方或いは裏面側とはそれら正対する側の反対側をいう。また、特記なき限り左右とは前面からみた左右方向をいう。
【０００８】
まず、図１〜図３に基づいてパチンコ遊技機の構成の概略を説明する。
図３に示すように、パチンコ遊技機ではパチンコ機本体１を中心としてその他のパネル状の構成部材がその前後方向に積層状に配置されている。パチンコ機本体１の上半身に形成された遊技盤取り付けスペース２には遊技盤３が嵌合されている。遊技盤３の前方位置には扉枠５が配設されている。扉枠５は金属製ベースとしての取り付けフレーム４をベースとして機能部品としてのプラスチックの扉枠本体１５が装着されて構成されている。取り付けフレーム４には機能部品としてのガラス窓Ｇ及び同取り付けフレーム４に装着された機能部品としての第１〜第３のＬＥＤ基板Ｌ１〜Ｌ３、扉枠本体１５の下部位置に装着された機能部品としての上受け皿６が装着されている。扉枠５に関しては詳しく後述する。
パチンコ機本体１において遊技盤３の下方位置にはカバープレート７が配設されている。カバープレート７はパチンコ機本体１に対して固着されている。カバープレート７の裏面にはパチンコ球発射機構８が配設されている。カバープレート７には前方に突出形成した下受け皿９が形成されている。下受け皿９の右側方にはパチンコ球発射機構８に連動する操作ハンドル１０が取付けられている。
遊技盤３の後方位置にはこれらを背面から覆うように機構盤１１が配設されている。機構盤１１の下方には取り付けベース１２が配設されている。取り付けベース１２は機構盤１１とは別体に構成されたパチンコ機本体１に装着される部材であって、各種基板が搭載されている。
これら各パネルは主となるパチンコ機本体１を介して額縁状に枠組みされた四角形の木製外枠１３に装着されている。パチンコ機本体１は木製外枠１３に対して着脱可能に嵌合されている。
【０００９】
次にこのように構成されるパチンコ遊技機における扉枠５において特に扉枠本体１５及び取り付けフレーム４の構成を中心に説明する。
（実施の形態１）
まず扉枠本体１５の構成について説明する。図１及び図２に示すように、プラスチック製の扉枠本体１５は中央にガラス窓Ｇ用の略円形の大開口部２１が形成された略長方形板体とされている。大開口部２１からは背後の遊技盤３の前面に形成された遊技面２２が露出される。扉枠本体１５前面側において大開口部２１の上部の装着部１５ａには正面形状略長方形の第１の電飾パネル２３が配設されている。扉枠本体１５前面側において大開口部２１の左右の装着部１５ｂ，１５ｃには第２の電飾パネル２４，２５が配設されている。両第２の電飾パネル２４，２５は互いに対称な弧状部材であって、第１の電飾パネル２３とともに大開口部２１を包囲している。
両第２の電飾パネル２４，２５の下端には同両第２の電飾パネル２４，２５と連続する透明パネル３０が配設されている。これら各パネル２３〜２５，３０は機能部品を構成し、扉枠本体１５の前面側から装着可能とされている。各パネル２３〜２５，３０は図示しないビスによって背面側から固定されるようになっている。図５に示すようにする。図１における扉枠本体１５の左側面位置には取り付けフレーム４との間でヒンジ部２６を構成する係合部材２７が形成されている。
図４に示すように、扉枠本体１５の前記各電飾パネル２３〜２５の配置位置には複数の円形形状の透孔３１が形成されており、後述するＬＥＤが同透孔３１から前方に露出するようになっている。また、透明パネル３０位置においては方形の大型透孔３２が形成されており、透明パネル３０を通して遊技部としての遊技面に貼付された検閲シール等が目視できるようになっている。
図１〜図５に示すように、大開口部２１の前面側中央下部位置には機能部品としての上受け皿６が形成されている。上受け皿６と大開口部２１の間には球貸し用の操作ボタン３３とカードの残量を７セグスタイルで表示する表示パネル３４が配設されている。これら操作ボタン３３や表示パネル３４は機能部品を構成する。
【００１０】
扉枠本体１５は取り付けフレーム４に対して装着されるようになっている。図６〜図８、図２６〜図２８に示すように、取り付けフレーム４は合金をプレス成形して得られる長方形形状の外郭をなすフレーム本体３５を有している。フレーム本体３５の全外周縁にはフレーム本体３５から前方に突出したフランジ３７が形成されている。フレーム本体３５の中央位置には大きく方形に開口された大開口部３８が形成されている。フレーム本体３５において大開口部３８の左右に配置された部分を左右の縦フレーム３５ａ，３５ｂとし、大開口部３８の上下に配置された部分を上下フレーム３５ｃ、３５ｄとする。扉枠本体１５に取り付けフレーム４が装着された状態において縦フレーム３５ａ，３５ｂは扉枠本体１５の大開口部２１の左右位置を補強し、上下フレーム３５ｃ、３５ｄは扉枠本体１５の大開口部２１の上下位置を補強する。
図６、図７、図２７及び図２８に示すように、大開口部３８の全周縁であってフレーム本体３５の前面側には凹部３９が形成されている。同凹部３９の左右の内周縁は折り曲げ形成されてフレーム本体３５の裏面側に突出されており左右突出部３９ａ，３９ｂとされている。左右突出部３９ａ，３９ｂは上下方向に沿って延出させられ、同左右突出部３９ａ，３９ｂにはそれぞれ左右の案内レール４１が装着されている。同凹部３９の下部内周縁は折り曲げ形成されてフレーム本体３５の裏面側に突出されており下部突出部３９ｃとされている。下部突出部３９ｃは左右方向に沿って延出させられ、同下部突出部３９ｃには支持レール４２が装着されている。
ガラス窓Ｇは左右の案内レール４１に案内された状態で支持レール４２によって下方から支持されるようになっている。本実施の形態１ではフレーム本体３５に対して後方に向かって案内レール４１及び支持レール４２が突出されているためこれらに支持されているガラス窓Ｇはフレーム本体３５の裏面に配設されることとなる。ガラス窓Ｇは更に後方の遊技盤３の遊技面との間隔も考慮されて配置される。図２７に示すように、ガラス窓Ｇが案内レール４１及び支持レール４２に支持された状態でフレーム本体３５のどの部分にも接触することはない。
【００１１】
フレーム本体３５の大開口部３８の左右位置、すなわち左右の縦フレーム３５ａ，３５ｂには上下方向に延出された第１の機能部品取り付け口４４が形成されている。同取り付け口４４はそれぞれ左右位置において上下２箇所に直列状に合計４つの孔として配設されている。同各取り付け口４４下端縁には左右方向に延出された補強リブ４５が前方に向かって突出形成されている。補強リブ４５はプレス加工によってフレーム本体３５と一体的に形成されている。取り付けフレーム４の大開口部３８の上部位置、すなわち上部フレーム３５ｃには左右方向に延出された第２の機能部品取り付け口４６が形成されている。同各取り付け口４６下端縁には左右方向に延出された補強リブ４７が前方に向かって突出形成されている。補強リブ４７はプレス加工によってフレーム本体３５と一体的に形成されている。フレーム本体３５には同フレーム本体３５を扉枠本体１５に装着するための固定ビス（図示せず）用の取り付け孔４８が散点的に配設されている。
【００１２】
図８に示すように、左縦フレーム３５ａには外枠１３に対して扉枠５を固定させるためのラッチ４９が上下２箇所に後方に向かって突設されている。右縦フレーム３５ｂには遊技盤３に対して係合されて扉枠５を片持ちに保持するための支持金具５０が上下２箇所に形成されている。図６及び図７に示すように、支持金具５０に隣接してヒンジ部２６を構成する係合ピン５１が形成されている。図１７に示すように係合ピン５１は前記扉枠本体１５側の係合部材２７内に挿入された状態でヒンジ部２６を構成するため扉枠本体１５は取り付けフレーム４（フレーム本体３５）に対してヒンジ部２６を中心に回動可能となる。
図８に示すように、フレーム本体３５にはシール５２が貼付されている。シール５２には取り付けフレーム４に装着されたＬＥＤ基板Ｌ１〜Ｌ３の廃棄時期（つまりいつまで使用できるかのデータ）が記載されており、パチンコ遊技機を回収した際に再度ＬＥＤ基板Ｌ１〜Ｌ３を他のパチンコ遊技機に搭載してもよいかどうかの指標となる。また、図６〜８に示すように、フレーム本体３５にはアース線Ｅが接続されておりパチンコ遊技機をセットした状態で蓄積された静電気をアーシングして放電するようになっている。
【００１３】
次にこのような構成の取り付けフレーム４に対して装着される第１〜第３のＬＥＤ基板Ｌ１〜Ｌ３について説明する。図９及び図１０に示すように、各ＬＥＤ基板Ｌ１〜Ｌ３は基板表面Ｌａに発光部としての複数のＬＥＤが配設され、基板表面ＬａからはケーブルＣｂが延出されている。基板表面にはＬＥＤ用の配線パターンＰがプリントされている。第１〜第３のＬＥＤ基板Ｌ１〜Ｌ３はそれぞれ取り付けフレーム４のフレーム本体３５の前面の左右及び上部装着部３５ａ，３５ｂ，３５ｃにそれぞれ装着されるようになっている。
第１〜第３のＬＥＤ基板Ｌ１〜Ｌ３は仲介部材としての第１及び第２の連結キャッチ５３，５５を介してフレーム本体３５に対して固着される。図１１〜図１６に示すように、ＡＢＳ樹脂製の第１及び第２の連結キャッチ５３，５５は長方形形状のキャッチ本体５７と、同キャッチ本体５７の前面側両端寄りから前方に向かって突出する一対の揺動脚５８とにより基本的な構成が形成されている。対向配置された一対の揺動脚５８の外側面には係合部としての第１の押さえ部６０が形成されている。第１の押さえ部６０は揺動脚５８の側面長手方向に沿って延出されており、その前面にはテーパ状の案内面６１が形成されている。揺動脚５８の内側面には係合部としての第２の押さえ部６３が形成されている。第２の押さえ部６３は揺動脚５８の側面長手方向に沿って延出されており、その前面にはテーパ状の案内面６５が形成されている。第２の押さえ部６３から若干キャッチ本体５７に寄った位置には棚部６６が形成されている。
【００１４】
次に、第１及び第２の連結キャッチ５３，５５を介した第１〜第３のＬＥＤ基板Ｌ１〜Ｌ３の取り付けフレーム４への装着作業及び扉枠本体１５の取り付けフレーム４への装着作業について説明する。
まず、第１〜第３のＬＥＤ基板Ｌ１〜Ｌ３の取り付けフレーム４への装着作業について説明する。ＬＥＤ基板Ｌ１の装着作用についてはＬＥＤ基板Ｌ２と基本的に同じであるためＬＥＤ基板Ｌ２側の装着作業のみ説明する。
作業者はまず第１の連結キャッチ５３を把持し、同連結キャッチ５３を取り付けフレーム４の第２の機能部品取り付け口４６に対して図１８に示すように取り付けフレーム４の後方から装着していく。
図２１（ａ）に示すように、第１の連結キャッチ５３の揺動脚５８を第１の機能部品取り付け口４４に挿入させる。すると対向する揺動脚５８の間隔はちょうど同取り付け口４４の幅と等しいためすみやかに挿入されて行き、揺動脚５８の外側面形成されている第１の押さえ部６０が同取り付け口４４の縁部４４ａと当接する。この段階で更に第１の連結キャッチ５３を同取り付け口４４方向に押して行くと図１８（ｂ）に示すように揺動脚５８は案内面６１を介して縁部４４ａによって押動され徐々に内側に撓んでいく。そして、揺動脚５８が進出していって縁部４４ａと第１の押さえ部６０との係合状態が解除されると図１９及び図２１（ｃ）に示すように揺動脚５８は自身の弾性作用によって戻る。この状態で第１の連結キャッチ５３はキャッチ本体５７と第１の押さえ部６０とによって縁部４４ａ位置のフレーム本体３５を挟持することとなり同取り付け口４４位置に固定されることとなる。このように第１の連結キャッチ５３が装着された状態でちょうど第１の連結キャッチ５３は補強リブ４５の上に載置されることとなり（図１９，図２０、図２６等参照）、補強リブ４５は第１の連結キャッチ５３の一種の底板としての役割を果たすこととなる。
このような作業を上下の第１の連結キャッチ５３に対して行う。
次いで、このように固定された第１の連結キャッチ５３に対して図１０に示す第１のＬＥＤ基板Ｌ１を図１９に示すように取り付けフレーム４の前方から装着していく。
図２１（ｄ）に示すように、第１のＬＥＤ基板Ｌ１を揺動脚５８の第２の押さえ部６３の案内面６５に当接させる。この段階で更に第１のＬＥＤ基板Ｌ１を第１の連結キャッチ５３方向に押して行くと図２１（ｅ）に示すように揺動脚５８は案内面６５を介して第１のＬＥＤ基板Ｌ１に押動され徐々に外側に撓んでいく。そして、揺動脚５８が進出していって第１のＬＥＤ基板Ｌ１と第２の押さえ部６３との係合状態が解除されると図２０及び図２１（ｆ）に示すように揺動脚５８は自身の弾性作用によって戻る。この状態で第１のＬＥＤ基板Ｌ１は第２の押さえ部６３と棚部６６とによって挟持されることとなり第１の連結キャッチ５３を介して同取り付け口４４位置に固定されることとなる。
【００１５】
第１及び第２のＬＥＤ基板Ｌ１，Ｌ２をこのように装着した後、第３のＬＥＤ基板Ｌ３を装着するために第２の連結キャッチ５５を第２の機能部品取り付け口４６に対して図２２に示すように取り付けフレーム４の後方から装着していく。第２の連結キャッチ５５の装着作業は図２５（ａ）〜図２５（ｃ）に示す通りである。この一連の作用は上記第１の連結キャッチ５３と同じであるため説明を省略する。
次いで、このように固定された第２の連結キャッチ５５に対して図９に示す第３のＬＥＤ基板Ｌ３を図２３に示すように取り付けフレーム４の前方から装着していく。第３のＬＥＤ基板Ｌ３の装着作業は図２５（ｄ）〜図２５（ｆ）に示す通りである。この一連の作用は上記第１のＬＥＤ基板Ｌ１と同じであるため説明を省略する。
このＬＥＤ基板Ｌ１〜Ｌ３のＬＥＤ基板用フレーム１６への装着作業はパチンコ遊技機組立ライン工程とは別のラインにて前もって行っておくことが可能である。
【００１６】
次いでこのように第１〜第３のＬＥＤ基板Ｌ１〜Ｌ３を装着した状態の取り付けフレーム４の前面側に扉枠本体１５を装着する。すなわち作業者は図１７に示すように取り付けフレーム４側の係合ピン５１に対して扉枠本体１５側の係合部材２７を嵌合させてヒンジ部２７とし、取り付けフレーム４に対して扉枠本体１５を片持ちに保持させるようにする。そして取り付けフレーム４と扉枠本体１５とを重ね合わせ前記ビス止め用のビス孔４８に対してビス５９を螺着させて取り付けフレーム４と扉枠本体１５とを固定する（図２９）。
【００１７】
このように構成することで本実施の形態１では次のような効果を奏する。
（１）取り付けフレーム４に対して機能部品（ここではＬＥＤ基板Ｌ１〜Ｌ３）を装着する際には取り付けフレーム４が金属製であることから従来の基準ではビス止めとすることが一般である。つまり取り付けフレーム４は金属製であって、成形上の制限からこれに装着させる機能部品（ここではＬＥＤ基板Ｌ１〜Ｌ３）を掛止するための構造を容易に形成することは困難だからである。しかし、ビス止めでは装着作業が面倒であって生産効率が悪くなる。また、分解作業においても面倒である。ところが、本実施の形態１ではこのように連結キャッチ５３，５５を介してＬＥＤ基板Ｌ１〜Ｌ３を装着しているため着脱作業にかかる面倒さが一挙に解決されることとなり、上記問題は解消される。
（２）取り付けフレーム４とは別個に成形できる連結キャッチ５３，５５はプラスチック製であり自由な形状とすることができるため取り付けフレーム４に装着する機能部品に応じて自在に変形させることが可能となる。例えば、ＬＥＤ基板Ｌ１〜Ｌ３が変形した形状とされたりすればその変形に対応した揺動脚５８の位置や形状とすることが可能である。また、例えば、ＬＥＤ基板Ｌ１〜Ｌ３をもっと前方位置に配設したいと考える場合には揺動脚５８の長さを長くしてより前方位置でＬＥＤ基板Ｌ１〜Ｌ３を保持するようにすることも可能である。
更に、連結キャッチ５３，５５はプラスチック製であることからリサイクル可能である。
（３）フレーム本体３５は大開口部３８以外に取り付け口４４，４６を設けるために多くの透孔が形成されることとなる。しかし、上記連結キャッチ５３，５５によってこの取り付け口４４，４６は塞がれてしまうため強度の劣化が極力防止されることとなる。
（４）ＬＥＤ基板Ｌ１〜Ｌ３を保持した状態で重量のあるこれら連結キャッチ５３，５５は揺動脚５８によって自身で取り付け口４４，４６に支持されると同時に第１の連結キャッチ５３は補強リブ４５の上に、第２の連結キャッチ５５は補強リブ４７の上にそれぞれ載置されることとなる。従って連結キャッチ５３，５５は取り付け口４４，４６にしっかりと保持されて脱落することがなくなる。
（５）各第１の連結キャッチ５３は補強リブ４５の上に載置されることとなる。そのためこれら連結キャッチ５３にＬＥＤ基板Ｌ１，Ｌ２を装着した状態において補強リブ４５が一種の底板となってＬＥＤ基板Ｌ１，Ｌ２が下方にスライドして連結キャッチ５３から脱落することのないようになっている。
（６）前もって取り付けフレーム４に両連結キャッチＬＥＤ５３，５５を介して基板Ｌ１〜Ｌ３を装着しておけば取り付けフレーム４を扉枠本体１５に対して装着するだけでＬＥＤ基板Ｌ１〜Ｌ３の配置も可能となるため製造ラインにおけるＬＥＤ基板Ｌ１〜Ｌ３の取り付け作業が簡略化でき作業効率が向上する。
【００１８】
（実施の形態２）
実施の形態２として遊技盤３に対してその前面にＬＥＤ基板Ｌ４を配設し、カバー９９にてこれを覆う場合について図３０〜図３５に基づいて説明する。
図３０及び図３３に示すように、ポリカーボネート製のカバー９９の裏面には仲介部材としてのポリカーボネート製の第１の連結キャッチ１００が配設されている。第１の連結キャッチ１００は左右位置にそれぞれ一対の第１の連結脚１０１が形成されている。一対の第１の連結脚１０１は互いに対向状態に配置されており、上下方向に沿って延出されている。第１の連結脚１０１の間には上下方向に延びるスライダ１０２が形成されている。スライダ１０２はその幅が上方から下方に向かって連続的に狭くなるよう形成されている。スライダ１０２の所定位置には三箇所の透孔１０３が形成されている。
図３２〜図３５に示すようにＬＥＤ基板Ｌ４が配設される遊技盤３の所定位置には上下方向に延びる長方形形状の取り付け口１０５が形成されている。同取り付け口１０５には第１の連結キャッチ１００と連結される仲介部材としてのポリカーボネート製の第２の連結キャッチ１０７が装着されるようになっている。
【００１９】
図３３〜図３５に示すように、第２の連結キャッチ１０７は長方形形状のキャッチ本体１０８と、同キャッチ本体１０８の前面側両端寄りから前方に向かって突出する一対の揺動脚１０９とにより基本的な構成が形成されている。対向配置された一対の揺動脚１０９の外側面には係合部としての第１〜第３の外突起部１１０〜１１２が突設されている。このうち第２及び第３の外突起部１１１，１１２と揺動脚１０９の三方から包囲される部分には係合部としてのスリット１１３が形成されている。揺動脚１０９の内側面には係合部としての第１及び第２の内突起部１１５，１１６が突設されている。これら両内突起部１１５，１１６と揺動脚１０９の三方から包囲される部分には係合部としてのスリット１１７が形成されている。
ＬＥＤ基板Ｌ４は上記ＬＥＤ基板Ｌ１〜Ｌ３とほぼ同じ構成であるのでその構成要素についてはＬＥＤ基板Ｌ１〜Ｌ３と同じ符号・番号等を付して説明を省略する。
【００２０】
次にこのような第１の連結キャッチ１００と第２の連結キャッチ１０７とを使用した遊技盤３におけるＬＥＤ基板Ｌ４及びカバー９９の装着作業について説明する。
まず図３４及び図３５に示すように、第２の連結キャッチ１０７の揺動脚１０９を上記実施の形態１と同様に撓ませて装着する。これによって図３３に示すようにキャッチ本体１０８と第１の外突起部１１０との間で遊技盤３に固着される。この状態で対向する揺動脚１０９の内側面のスリット１１７間に上方からＬＥＤ基板Ｌ４を挿入する（図３５）。挿入されたＬＥＤ基板Ｌ４はスリット１１７に案内されて下降し底面１０５ａ上に設置される。ついで、図３１に示すように対向する揺動脚１０９の外側面のスリット１１３に対してカバー９９側の第１の連結キャッチ１００の第１の連結脚１０１を上方から挿入する。このとき第１の連結脚１０１のスライダ１０２は上方ほど幅広なためカバー９９の下降につれてスライダ１０２の両側が左右の揺動脚１０９に接近していき、接触した後は更に揺動脚１０９を徐々に外方に押圧していく。本実施の形態２では透孔１０３がＬＥＤ基板Ｌ４のＬＥＤの前面位置に配置された状態でそれ以上の下降が阻止されるようなスライダ１０２幅の設定とされているためカバー９９はちょうどよい位置（つまりＬＥＤの光を透孔１０３を通してカバー９９裏面に導くことができる位置）において停止される。
【００２１】
このような構成とすることで実施の形態２は次のような独自の効果を奏する。（１）ＬＥＤ基板Ｌ４をビスのような固定手段を使用せずに第２の連結キャッチ１０７を使用して簡単に遊技盤３に装着することができるとともに、第１の連結キャッチ１００を介してカバー９９を第２の連結キャッチ１０７に装着することができる。すなわち、仲介部材を使用して同じ場所に複数の機能部品を装着することが可能となり、機能部品の装着の手間が非常に省けることとなる。
（２）カバー９９は揺動脚１０９の外側面のスリット１１３を下降させるだけでスライダ１０２と揺動脚１０９が接触することによる制動作用（係合作用）によって所定位置に停止できるようになっている。そのためカバー９９の装着作業が極めて簡略化されることとなる。
（３）カバー９９が下降することでスライダ１０２が揺動脚１０９と接触してこれを外方に押動するような作用が働くため、結果として一対の揺動脚１０９は左右に拡開されることとなって強く遊技盤３の取り付け口１０５に押しつけられ固定力が増強されるため。第２の連結キャッチ１０７はしっかりと固定されることとなる。
【００２２】
（実施の形態３）
実施の形態３としてパチンコ機本体１に対してその前面にＬＥＤ基板Ｌ５を配設する場合について図３６〜図３９に基づいて説明する。
ＬＥＤ基板Ｌ５は上記ＬＥＤ基板Ｌ１〜Ｌ３とほぼ同じ構成であるのでその構成要素についてはＬＥＤ基板Ｌ１〜Ｌ３と同じ符号・番号等を付して説明を省略する。
図３６及び図３７に示すようにパチンコ機本体１の上部横フレーム１ａには横長の凹部１２０が形成され同凹部１２０左右両端には透孔１２１が形成されている。図３７〜図３９に示すように、実施の形態３の仲介部材としての連結キャッチ１２３はキャッチ本体１２４と揺動脚１２５を備えている。対向配置された一対の揺動脚１２５の外側面には係合部としての第１の押さえ部１２７が形成されている。第１の押さえ部１２７の前面にはテーパ状の案内面１２８が形成されている。揺動脚１２５の内側面には係合部としての第２の押さえ部１２９が形成されている。第２の押さえ部１２９の前面にはテーパ状の案内面１３０が形成されている。第２の押さえ部１２９から若干キャッチ本体１２４に寄った位置には棚部１３１が形成されている。このような連結キャッチ１２３自身の上部横フレーム１ａへの装着とＬＥＤ基板Ｌ５の装着作用については基本的に実施の形態１と同じであるため詳しい説明は省略し簡単にその作用について説明する。
【００２３】
図３８に示すように上部横フレーム１ａに形成された透孔１２１に対して裏面側より連結キャッチ１２３の揺動脚１２５をこれら透孔１２１内に挿入させる。すると対向する揺動脚１２５の第１の押さえ部１２７の案内面１２８が透孔１２１の縁部と当接し、この案内面１２８の作用によって揺動脚１２５は進出とともに徐々に内側に撓み最後には図３９に示すように揺動脚１２５は自身の弾性作用によって元の形状に戻る。この状態で連結キャッチ１２３は凹部１２１位置にて固定される。次いで揺動脚１２５前方からＬＥＤ基板Ｌ５を揺動脚１２５の第２の押さえ部１２９の案内面１３０に当接させる。そしてＬＥＤ基板Ｌ５を押動していくと揺動脚１２５は案内面６５の作用によって外側に撓んでいく。そして、最後にはＬＥＤ基板Ｌ５は第２の押さえ部１２９と棚部１３１とによって挟持されることとなる。この状態で扉枠５を閉塞すると扉枠５（扉枠本体１５）側の上部位置に形成された透孔１３２にＬＥＤ基板Ｌ５のＬＥＤは配置され前方の電飾パネル２３を照明することが可能となる。
このような構成とすることによって以下のような実施の形態３の固有の効果が奏される。
（１）連結キャッチ１２３が上部横フレーム１ａに装着された状態で揺動脚１２５の先端は上部横フレーム１ａの厚みからはみ出ることはない。つまり連結キャッチ１２３は上部横フレーム１ａに形成された凹部１２０内に納まっており揺動脚１２５の先端がパチンコ機本体１の前方に突出することがないため前方を封塞する扉枠５の封塞時の邪魔になることがない。
【００２４】
（実施の形態４）
実施の形態４として上受け皿６に対してパチンコ球の飛び出しを防止する飛び出し防止板１３３を装着する場合について説明する。
パチンコ球はいわゆるサンドと呼称されるパチンコ遊技機に隣接して配置されるパチンコ球貸し出し装置から延出された配球ノズルからパチンコ遊技機の上受け皿６上に供給される場合がある。このようなパチンコ球の配球スタイルを採用している場合において図４０のような遊技面が大きくなって上受け皿６位置が下方位置に配置されるような機種においては配球ノズル先端位置と上受け皿６との間隔が従来の機種に比べて離間してしまう。そのため上受け皿６上に落下したパチンコ球の飛び出しを防止するために飛び出し防止板１３３が上受け皿６の包囲壁１３４の左方寄りに配設されるようになっている。これによってちょうど配球ノズルからのパチンコ球の落下位置を包囲することができパチンコ球の飛び出しが効果的に防止されるわけである。
図４１に示すように、飛び出し防止板１３３は仲介部材としての連結キャッチ１３５によって包囲壁１３４上に固定されるようになっている。図４２に示すように飛び出し防止板１３３の底板１３７には２箇所に第１の透孔１３８が形成されている。図４３（ａ）及び（ｂ）に示すように、第１の透孔１３８の周囲には段違い部１３９が形成されている。包囲壁１３４上にはこの第１の透孔１３８と対応する形成された第２の透孔１４０が形成されている。図４１、図４３（ａ）及び（ｂ）に示すように、連結キャッチ１３５はキャッチ本体１４２と揺動脚１４３を備えている。対向配置された一対の揺動脚１４３の外側面には係合部としての押さえ部１４４が形成されている。
図４３（ａ）に示すようにこれら飛び出し防止板１３３が包囲壁１３４上に両透孔１３８，１４０が重ね合わされるように配置する。そして連結キャッチ１３５の揺動脚１４３をこれら透孔１３８，１４９内に挿入させる。すると対向する揺動脚が両透孔１３８，１４０の縁部と当接し進出とともに徐々に内側に撓んでいく。そして、最終的に図４３（ｂ）に示すように揺動脚１４３は自身の弾性作用によって戻る。この状態で飛び出し防止板１３３は連結キャッチ１３５によって包囲壁１３４上にて固定される。同時に連結キャッチ１３５のキャッチ本体１４２は段違い部１３９内に納まり底板１３７上面から上方に突起することないように面一に配置されることとなる。
このような構成とすることによって以下のような実施の形態４の固有の効果が奏される。
（１）連結キャッチ１３５のキャッチ本体１４２は飛び出し防止板１３３の底板１３７の第１の透孔１３８位置に形成された段違い部１３９内に納まり底板１３７上面から上方に突起することないため遊技者が連結キャッチ１３５を持ち上げたり取り外すようないたずらができないようになっている。
（２）上方から落下するパチンコ球はこの連結キャッチ１３５のキャッチ本体１４２位置にも当接する可能性があるが、このように底板１３７上面から上方に突起することないように面一に配置されるため当接したパチンコ球がキャッチ本体１４２の角部などに当たって飛び出し防止板１３３から飛び出してしまうような不具合が防止できる。
【００２５】
（実施の形態５）
実施の形態５として機構盤１１に対してその裏面に機能部品としてのタンク１４５及びタンクレール１４６を配設する場合について説明する。
タンク１４５には基本的にパチンコホールの各島ごとにセットされたパチンコ球供給装置からパチンコ球が供給されるようになっている。図４４に示すように、タンク１４５は払い出し機構１４７の上流側に配置されタンクレール１４６を経由して払い出し機構１４７における払い出しが途切れることのないように常にタンク１４５からパチンコ球が供給されるようになっている。
従来においてはこれらタンク１４５及びタンクレール１４６はビスによって固着されるわけであるが、本実施の形態５のように仲介部材としての連結キャッチ１４７を使用して例えば図４５のようにそれぞれ機構盤１１に対して着脱可能に固定することが可能とである。連結キャッチ１４７の作用については実施の形態４に準ずる。
【００２６】
尚、この発明は、次のように変更して具体化することも可能である。
・実施の形態１のように第１〜第３のＬＥＤ基板Ｌ１〜Ｌ３を直接第１又は第２の連結キャッチ５３，５５の揺動脚５８に把持させるのではなく、支持体を介在させて装着するようにしてもよい。例えば実施の形態１の変形として図４６及び図４７に示すように、ＬＥＤ基板Ｌ２にちょうど揺動脚５８に把持される形状（つまり上記実施の形態１でのＬＥＤ基板Ｌ１の外形形状のような）の支持板８１を連結部８２を介して連結する。そして、揺動脚５８に支持板８１を把持させるようにするものである。
このように構成すると種々の形状とされたＬＥＤ基板Ｌ１〜Ｌ３のような機能部品に自在に対応させることができ、特にＬＥＤ基板Ｌ１〜Ｌ３のようなＬＥＤの光を前方に発光させる機能部品ではより前方に進出させるような設計が可能となるため有利である。
・上記各実施の形態では個々の連結キャッチ５３，５５毎に１つの第１〜第３のＬＥＤ基板Ｌ１〜Ｌ３を把持するようにしていたが、例えば図４８に示すように隣接する連結キャッチ５３で１つのＬＥＤ基板Ｌ２を把持するようにしてもよい。
・連結キャッチ５３，５５の形状は上記各実施の形態に限定されることはない。例えば、図４９のように連結キャッチ５５のキャッチ本体５７の両端にのみ揺動脚５８を形成してもよい。すなわち、上記実施の形態１の第２の連結キャッチ５５の揺動脚５８とは９０度ずれた向きに揺動脚５８を配置するようにしてもよい。このような向きにして上記第２の同取り付け口４６とは別位置で揺動脚５８の作用によって装着するようにしてもよい。
その他、キャッチ本体５７の形状を変形させたり揺動脚５８の幅を変更する等は自由である。例えば、図５０のような変形したキャッチ本体１５０を有する連結キャッチ１５１とするようにしてもよい。
・連結キャッチ５３，５５の材質はその他のプラスチック製としてもよい。また、弾性体（例えば合成ゴム）で構成するようにしてもよい。弾性体とすれば連結キャッチ５３，５５が大きく撓むため第１〜第３のＬＥＤ基板Ｌ１〜Ｌ３の撓みが極めて少なくなる。
【００２７】
・上記実施の形態２ではカバー９９は第１の連結キャッチ１００を介して装着されるようになっていたが第１の連結キャッチ１００の（特に第１の連結脚１０１）の構造は直接カバー９９に形成するようにしてもよい。
・上記各実施の形態では先にすべての第１の連結キャッチ５３（又は第２の連結キャッチ５５）をフレーム本体３５に装着してからＬＥＤ基板Ｌ１（又はＬ２，Ｌ３）を装着するようにしていたが、これは装着作業の一例であって例えば連結キャッチ５３を１つ着けるごとにＬＥＤ基板Ｌ１（又はＬ２）を装着するようにしてもよいし、すべての連結キャッチ５３，５５を着けてからＬＥＤ基板Ｌ１〜Ｌ３を装着するようにしてもよい。
・上記各実施の形態で説明した機能部品（例えば第１〜第５のＬＥＤ基板Ｌ１〜Ｌ５、飛び出し防止板１３３）以外の機能部品、その他装飾用のカバー、ガラス保持枠、中継基板、配線保持部材等の機能部品を仲介部材を介して装着するようにしてもよい。
・上記各実施の形態はパネル体として特に扉枠５に反映した実施の形態として説明したが、他のパネル体、例えばパチンコ機本体１や機構盤１１に応用することも可能である。
・本実施の形態はいわゆるパチンコ機以外の例えばスロットマシンやパチロットにも応用可能である。
・その他、本発明の趣旨を逸脱しない態様で実施することは自由である。
【００２８】
本発明の目的を達成するために上記実施の形態から把握できるその他の技術的思想について下記に付記として説明する。
（１）前記両機能部品は仲介部材を介して着脱可能に装着されることを特徴とする請求項１に記載の遊技機。
これによって両機能部品は仲介部材を介して装着されるとともに取り外すことも可能となる。
（２）前記仲介部材は前記機能部品に形成された透孔に対して固定手段によって固定されることを特徴とする請求項１又は付記１に記載の遊技機。
透孔の形成は機能部品にとって容易に行い得る加工であって、かつ透孔を設けるだけで所望の位置に仲介部材を配置することが可能となる。
（３）前記仲介部材にはレバーを設け、同レバーを撓ませることで同レバーに形成された係合爪によって前記第１の機能部品に形成された透孔に掛止させ、もって仲介部材を同第１の機能部品に装着するようにしたことを特徴とする請求項１若しくは付記１又は２のいずれかに記載の遊技機。
レバーとは上記実施の形態では揺動脚５８，１０９，１２５等であり、係合爪とは例えば上記各実施の形態のような押さえ部６０，１１０，１２７等がこれに相当する。このような装着手段を採用することで作業の効率化を図ることができる。
（４）前記仲介部材にはレバーを設け、同レバーを撓ませることで同レバーに形成された係合爪によって前記第１の機能部品に形成された透孔に掛止させ、もって仲介部材を同第１の機能部品に装着するようにするとともに、同仲介部材によって第２の機能部品を保持するようにしたことを特徴とする請求項１若しくは付記１〜３のいずれかに記載の遊技機。
つまり第２の機能部品は仲介部材によって保持されることとなり、結果として第１の機能部品に対して第２の機能部品が装着されることとなる。上記実施の形態では第２の機能部品はＬＥＤ基板が相当する。
（５）前記仲介部材にはレバーを設け、同レバーを撓ませることで同レバーに形成された係合爪によって前記第１の機能部品に形成された透孔に掛止させ、もって仲介部材を同第１の機能部品に装着するようにするとともに、同仲介部材と同第１の機能部品とによって第２の機能部品を保持するようにしたことを特徴とする請求項１若しくは付記１〜３のいずれかに記載の遊技機。
つまり第２の機能部品は仲介部材と第１の機能部品の両方によって保持されることとなり、結果として第１の機能部品に対して第２の機能部品が装着されることとなる。上記実施の形態では実施の形態４や実施の形態５がこれに相当する。（６）前記係合爪は前記透孔の対向する両縁部に係合爪が係合されるように対向配置されていることを特徴とする付記４又は５に記載の遊技機。。
これによって仲介部材は金属製ベースに対してしっかりと固定される。
（７）前記レバーの係合爪には機能部品の同係合爪に対する押圧による圧力を分散させ同レバーに前記透孔の側方に向かって撓ませる方向のベクトル成分を付与する斜状部を形成したことを特徴とする付記４〜６のいずれかに記載の遊技機。これによって仲介部材を第１の機能部品の透孔に押し込むだけで斜状部の作用でレバーが揺動し、仲介部材を透孔位置に装着させることができるので作業が効率化する。斜状部とは上記実施の形態では案内面６１，１３０等である。
これによってワンタッチで仲介部材を装着することができ、作業の効率化とコストダウンに貢献する。
【００２９】
（８）前記仲介部材は第１の機能部品の裏面側から前記透孔に対して装着され、同第１の機能部品の前面側から第２の機能部品を同仲介部材に固定するとともに、同第２の機能部品又は／及び同仲介部材は同第１の機能部品の前方に突出しないように配置されることを特徴とする付記２〜７のいずれかに記載の遊技機。
これによって第３の機能部品やパネル体を第２の機能部品の前面に装着する際に第２の機能部品又は／及び仲介部材が第３の機能部品の装着の邪魔となることがない。上記実施の形態３がの連結キャッチ１２３やＬＥＤ基板Ｌ５がこれに相当する。
（９）前記仲介部材は第１の機能部品の表面側から前記透孔に対して装着され、同仲介部材は同第１の機能部品の表面から前方に突出しないように配置されることを特徴とする付記２〜７のいずれかに記載の遊技機。
仲介部材が表面側に突出して邪魔になることがないようにするためである。上記実施の形態４の連結キャッチ１３５がこれに相当する。
（１０）前記仲介部材は前記第１の機能部品の表面から前方に突出するように前記透孔に装着され、同仲介部材に前記第２の機能部品が固定されることを特徴とする付記２〜７のいずれかに記載の遊技機。
このようにすれば仲介部材が表面側に突出してして第２の機能部品をより前方に配置することが可能となる。上記実施の形態では揺動脚５８に支持された支持板８１と連結部８２がこれに相当する。
（１１）前記仲介部材は透孔への装着状態で下方から支持手段によって支持されていることを特徴とする付記２〜１０のいずれかに記載の遊技機。
これは特に重量のある機能部品例えば表示装置を搭載したユニット化ベースにおいて有効である。支持手段とは上記実施の形態では補強リブ４５，４７等である。
（１２）前記支持手段は前記仲介部材に支持された前記機能部品の下方への脱落を防止する機能を兼ねていることを特徴とする付記１１に記載の遊技機。
例えば上記実施の形態１のように連結キャッチ５３に支持されたＬＥＤ基板Ｌ２は構造上補強リブ４５がなければ揺動脚５８をスライドして下方に脱落してしまうこととなる。これによって付記８の効果に加え脱落が防止されることとなる。
（１３）前記２以上の仲介部材は１つの前記機能部品を保持することを特徴とする請求項１若しくは付記１〜１２のいずれかに記載の遊技機。
これによって一つの仲介部材では取り付けにくい機能部品の装着が可能となる。
（１４）前記仲介部材はプラスチック製であることを特徴とする付記３〜１３のいずれかに記載の遊技機。
これによって機能部品の形状にうまく適合した部品に成形することが可能である。また、リサイクルが可能である。
（１５）前記仲介部材は弾性素材から構成されていることを特徴とする付記３〜１４のいずれかに記載の遊技機。
これによって機能部品を撓ませずに仲介部材側を撓ますことが容易となるため機能部品に対する負荷が少なくなる。
【００３０】
（１６）前記第１の機能部品に装着された前記仲介部材には複数の第２の機能部品が固定されることを特徴とする請求項１若しくは付記１〜１５のいずれかに記載の遊技機。
これによって同じ位置に複数の機能部品を装着することが可能となる。上記実施の形態２等がこれに相当する。
（１７）前記第１又は／及び第２の機能部品は前記仲介部材との間で溝と同溝に沿ってスライドする案内部との関係で案内されて同仲介部材に対する所定位置に装着されることを特徴とする請求項１若しくは付記１〜１６いずれかに記載の遊技機。
これによってレバーを撓ませて仲介部材を装着する場合に比べてレバーが折れるという不具合が生じにくく丈夫な機構となる。上記実施の形態２がこれに相当する。
（１８）前記第１又は／及び第２の機能部品にはスライドとともに前記仲介部材と接触して制動される制動部材が形成されていることを特徴とする付記１７に記載の遊技機。
これによって第１又は／及び第２の機能部品と仲介部材とをスライドさせるだけで所定位置に固定されることとなる。
（１９）前記制動部材は前記仲介部材を前記第１又は／及び第２の機能部品に対して強く押しつけて固定力を増強させることを特徴とする付記１８に記載の遊技機。
これによって仲介部材は第１又は／及び第２の機能部品に対してしっかりと固定されることとなる。
【００３１】
【図面の簡単な説明】
【図１】  本発明の実施の形態のパチンコ遊技機の斜視図。
【図２】  同じパチンコ遊技機の正面図。
【図３】  同じパチンコ遊技機の分解側面図。
【図４】  扉枠本体（扉枠）の正面図。
【図５】  扉枠本体（扉枠）に対するカバー配置位置を説明する正面図。
【図６】  取り付けフレームの背面図。
【図７】  同じ取り付けフレームの背面からの斜視図。
【図８】  同じ取り付けフレームの正面からの斜視図。
【図９】  ＬＥＤ基板の斜視図。
【図１０】  ＬＥＤ基板の斜視図。
【図１１】  連結キャッチの背面からの斜視図。
【図１２】  連結キャッチの正面からの斜視図。
【図１３】  連結キャッチの側面図。
【図１４】  連結キャッチの背面からの斜視図。
【図１５】  連結キャッチの正面からの斜視図。
【図１６】  連結キャッチの側面図。
【図１７】  ヒンジ部の拡大分解斜視図。
【図１８】  連結キャッチの装着方法を説明する斜視説明図。
【図１９】  ＬＥＤ基板の装着方法を説明する斜視説明図。
【図２０】  ＬＥＤ基板が装着された状態の斜視図。
【図２１】  （ａ）〜（ｃ）は連結キャッチの装着方法の概略説明図、（ｄ）〜（ｆ）はＬＥＤ基板の装着方法の概略説明図。
【図２２】  連結キャッチの装着方法を説明する斜視説明図。
【図２３】  ＬＥＤ基板の装着方法を説明する斜視説明図。
【図２４】  ＬＥＤ基板が装着された状態の斜視図。
【図２５】  （ａ）〜（ｃ）は連結キャッチの装着方法の概略説明図、（ｄ）〜（ｆ）はＬＥＤ基板の装着方法の概略説明図。
【図２６】  ＬＥＤ基板が装着された状態の取り付けフレームの背面図。
【図２７】  図２６におけるＡ−Ａ線での断面図。
【図２８】  図４におけるＢ−Ｂ線での断面図。
【図２９】  取り付けフレームを扉枠本体に装着した状態の背面図。
【図３０】  実施の形態２のカバーの斜視図。
【図３１】  実施の形態２のカバーの装着方法を説明する概略側面図。
【図３２】  実施の形態２における遊技盤の縦断面図。
【図３３】  実施の形態２におけるカバーの装着方法を説明する横断面図。
【図３４】  実施の形態２の連結キャッチの装着方法を説明する斜視説明図。
【図３５】  実施の形態２のＬＥＤ基板の装着方法を説明する側断面図。
【図３６】  実施の形態３のパチンコ遊技機の斜視図。
【図３７】  実施の形態３のパチンコ遊技機のＬＥＤ基板及び連結キャッチの装着方法を説明する要部拡大斜視図。
【図３８】  実施の形態３のＬＥＤ基板及び連結キャッチの上部横フレームへの装着方法を説明する断面図。
【図３９】  実施の形態３のＬＥＤ基板、連結キャッチ及び上部横フレームの断面図。
【図４０】  実施の形態４のパチンコ遊技機の正面図。
【図４１】  実施の形態４のパチンコ遊技機の飛び出し防止板及び連結キャッチの上受け皿への装着方法を説明する要部正面図。
【図４２】  実施の形態４のパチンコ遊技機の飛び出し防止板及び連結キャッチの上受け皿への装着方法を説明する要部平面図。
【図４３】  （ａ）は連結キャッチによって飛び出し防止板を上受け皿への装着方法を説明する部分断面図、（ｂ）は同じく装着した状態を説明する部分断面図。
【図４４】  実施の形態５の機構盤１１の裏面からの分解斜視図。
【図４５】  実施の形態５において連結キャッチによるタンクの固定状態を説明する断面図。
【図４６】  他の実施の形態のＬＥＤ基板の装着方法を説明する斜視説明図。
【図４７】  他の実施の形態のＬＥＤ基板の装着方法を説明する側断面図。
【図４８】  他の実施の形態のＬＥＤ基板の装着方法を説明する側断面図。
【図４９】  他の実施の形態の連結キャッチの斜視図。
【図５０】  他の実施の形態の連結キャッチの斜視図。
【図５１】  仲介部材を使用しない機能部品同士の装着例を示す斜視図。
【符号の説明】
４…取り付けフレーム、５…扉枠、１５…扉枠本体、１６…ＬＥＤ基板用フレーム、５３，５５，１００，１０７，１２３，１３５，１４７…仲介部材としての連結キャッチ、Ｌ１〜ｌ３…ＬＥＤ基板。
【図１】
0004218252.tif 000002
【図２】
0004218252.tif 000003
【図３】
0004218252.tif 000004
【図４】
0004218252.tif 000005
【図５】
0004218252.tif 000006
【図６】
0004218252.tif 000007
【図７】
0004218252.tif 000008
【図８】
0004218252.tif 000009
【図９】
0004218252.tif 000010
【図１０】
0004218252.tif 000011
【図１１】
0004218252.tif 000012
【図１２】
0004218252.tif 000013
【図１３】
0004218252.tif 000014
【図１４】
0004218252.tif 000015
【図１５】
0004218252.tif 000016
【図１６】
0004218252.tif 000017
【図１７】
0004218252.tif 000018
【図１８】
0004218252.tif 000019
【図１９】
0004218252.tif 000020
【図２０】
0004218252.tif 000021
【図２１】
0004218252.tif 000022
【図２２】
0004218252.tif 000023
【図２３】
0004218252.tif 000024
【図２４】
0004218252.tif 000025
【図２５】
0004218252.tif 000026
【図２６】
0004218252.tif 000027
【図２７】
0004218252.tif 000028
【図２８】
0004218252.tif 000029
【図２９】
0004218252.tif 000030
【図３０】
0004218252.tif 000031
【図３１】
0004218252.tif 000032
【図３２】
0004218252.tif 000033
【図３３】
0004218252.tif 000034
【図３４】
0004218252.tif 000035
【図３５】
0004218252.tif 000036
【図３６】
0004218252.tif 000037
【図３７】
0004218252.tif 000038
【図３８】
0004218252.tif 000039
【図３９】
0004218252.tif 000040
【図４０】
0004218252.tif 000041
【図４１】
0004218252.tif 000042
【図４２】
0004218252.tif 000043
【図４３】
0004218252.tif 000044
【図４４】
0004218252.tif 000045
【図４５】
0004218252.tif 000046
【図４６】
0004218252.tif 000047
【図４７】
0004218252.tif 000048
【図４８】
0004218252.tif 000049
【図４９】
0004218252.tif 000050
【図５０】
0004218252.tif 000051
【図５１】
0004218252.tif 000052